(57)【特許請求の範囲】
【請求項１】
複数の筆記面を有するスクリーンと、
前記スクリーンを移動させるローラーと、
前記ローラーによる前記スクリーンの移動に伴い、前記スクリーン上に書かれた情報を読み取る読取手段と、
前記読取手段からの出力を印刷する印刷手段と、
指示入力手段からの指示により変更可能な変数を記憶する記憶手段と、
前記記憶手段に記憶された変数に応じた数字又は記号を表示する表示手段と、
前記読取手段による読み取り及び前記印刷手段による印刷の実行を指示する実行指示手段と、
前記実行指示手段からの指示が行われた場合、前記表示手段に数字が表示されている場合には、前記スクリーンの１つの筆記面の情報を読み取って、前記印刷手段により前記数字に応じた枚数分の印刷を行うように前記ローラー、前記読取手段、前記印刷手段を制御し、前記表示手段に記号が表示されている場合には、前記スクリーンの複数の筆記面の情報を順次読み取り、前記印刷手段により順次印刷を行うように前記ローラー、前記読取手段、前記印刷手段を制御する制御手段とを有することを特徴とする電子黒板装置。
【請求項２】
複数の筆記面を有するスクリーンと、
前記スクリーンを移動させるローラーと、
前記ローラーによる前記スクリーンの移動に伴い、前記スクリーン上に書かれた情報を読み取る読取手段と、
前記読取手段からの出力を印刷する印刷手段と、
コピー枚数設定キーから指示された数字または記号を記憶する記憶手段と、
前記記憶手段に記憶された数字又は記号を表示する表示手段と、
前記読取手段による読み取り及び前記印刷手段による印刷の実行を指示するコピーキーと、
前記コピーキーからの指示が行われた場合、前記表示手段に数字が表示されている場合には、前記スクリーンの１つの筆記面の情報を読み取って、前記印刷手段により前記数字に応じた枚数分の印刷を行うように前記ローラー、前記読取手段、前記印刷手段を制御し、前記表示手段に記号が表示されている場合には、前記スクリーンの複数の筆記面の情報を順次読み取り、前記印刷手段により順次印刷を行うように前記ローラー、前記読取手段、前記印刷手段を制御する制御手段とを有することを特徴とする電子黒板装置。
【発明の詳細な説明】
【０００１】
【発明の属する技術分野】
本発明はスクリーン上に書かれた文字や図形などの情報を記録紙上へ複写することができる電子黒板装置に関するものである。
【０００２】
【従来の技術】
従来から、特公昭６２−５６０００号に記載されているように、スクリーン上に書かれた情報を読み取り、記録紙へ印刷することができる電子黒板装置が知られている。また、近年では特公平６−９４２３８号に記載されているように、１段の逆折り返し構造を有することにより４面の筆記面を提供する装置も提案されている。
【０００３】
【発明が解決しようとする課題】
しかしながらこのような電子黒板装置においては、使用中に複数面を連続してフィードしたり、また複数面を連続して印刷するなどの機能はなく、操作性の向上が求められている。
【０００４】
本発明は、電子黒板装置において、連続フィードや連続印刷を可能とすることを目的とする。
【０００５】
【課題を解決するための手段】
本発明に係る電子黒板装置は、表示手段に数字が表示されている場合には、スクリーンの１つの筆記面の情報を読み取って、印刷手段により表示された数字に応じた枚数分の印刷を行うようにスクリーンローラー、読取手段、印刷手段を制御し、表示手段に記号が表示されている場合には、スクリーンの複数の筆記面の情報を順次読み取り、印刷手段により順次印刷を行うようにスクリーンローラー、読取手段、印刷手段を制御するものである。
【０００７】
【発明の実施の形態】
請求項１に記載の発明は、複数の筆記面を有するスクリーンと、前記スクリーンを移動させるローラーと、前記ローラーによる前記スクリーンの移動に伴い、前記スクリーン上に書かれた情報を読み取る読取手段と、前記読取手段からの出力を印刷する印刷手段と、指示入力手段からの指示により変更可能な変数を記憶する記憶手段と、前記記憶手段に記憶された変数に応じた数字又は記号を表示する表示手段と、前記読取手段による読み取り及び前記印刷手段による印刷の実行を指示する実行指示手段と、前記実行指示手段からの指示が行われた場合、前記表示手段に数字が表示されている場合には、前記スクリーンの１つの筆記面の情報を読み取って、前記印刷手段により前記数字に応じた枚数分の印刷を行うように前記ローラー、前記読取手段、前記印刷手段を制御し、前記表示手段に記号が表示されている場合には、前記スクリーンの複数の筆記面の情報を順次読み取り、前記印刷手段により順次印刷を行うように前記ローラー、前記読取手段、前記印刷手段を制御する制御手段とを有することを特徴とするものであり、１つの表示手段の表示状態により１画面印刷と複数画面印刷を切り換えることにより、入力キーや表示部を増やすことなく２つの印刷モードを切り換え指示できるものである。
【０００８】
請求項２に記載の発明は、複数の筆記面を有するスクリーンと、前記スクリーンを移動させるローラーと、前記ローラーによる前記スクリーンの移動に伴い、前記スクリーン上に書かれた情報を読み取る読取手段と、前記読取手段からの出力を印刷する印刷手段と、コピー枚数設定キーから指示された数字または記号を記憶する記憶手段と、前記記憶手段に記憶された数字又は記号を表示する表示手段と、前記読取手段による読み取り及び前記印刷手段による印刷の実行を指示するコピーキーと、前記コピーキーからの指示が行われた場合、前記表示手段に数字が表示されている場合には、前記スクリーンの１つの筆記面の情報を読み取って、前記印刷手段により前記数字に応じた枚数分の印刷を行うように前記ローラー、前記読取手段、前記印刷手段を制御し、前記表示手段に記号が表示されている場合には、前記スクリーンの複数の筆記面の情報を順次読み取り、前記印刷手段により順次印刷を行うように前記ローラー、前記読取手段、前記印刷手段を制御する制御手段とを有することを特徴とするものであり、１つの表示手段の表示状態により１画面印刷と複数画面印刷を切り換えることにより、入力キーや表示部を増やすことなく２つの印刷モードを切り換え指示できるものである。
【０００９】
【実施例】
以下、本発明に係る実施例について、図面を用いて説明する。
【００１０】
図１は、本発明の一実施例における４画面電子黒板のブロック図であって、１は４画面分の長さの筆記可能なスクリーン、２はスクリーン１を駆動するスクリーン駆動ローラー、３ａ・３ｂ・３ｃはスクリーン１を折り返すためのスクリーン折返ローラー、４はスクリーン駆動ローラー２に取り付けられたスクリーン駆動パルスモータでスクリーン駆動ローラ２を正転方向または逆転方向に回転させることによりスクリーン１を移動させることができる。
【００１１】
５は各スクリーン面のホーム位置を決定するスクリーンホーム位置マークであり、図示はしていないが各スクリーン面に付けられている。６はスクリーン１が取り付け可能な読取光学部筐体、７はスクリーンホーム位置マークを検出し各スクリーン面のホーム位置を決定するスクリーンホーム位置検出センサであり、読取光学部筐体６に取り付けられている。尚、スクリーン１をスクリーンホーム位置に移動する場合には、スクリーンホーム位置検出センサ７でスクリーンホーム位置マーク検出後、スクリーン駆動パルスモータ４を所定パルス数だけ進めることにより、スクリーンホーム位置マークの中央位置をスクリーンホーム位置とする。
【００１２】
８はスクリーン１の読取部を照らす蛍光灯、９は読取部からの光を９０度屈折させるミラー、１０は読取部からの光をＣＣＤ１１（後述）に集光するレンズ、１１は光の強弱を電圧の高低（アナログ電圧）に変換するＣＣＤ、１２はＣＣＤ１１から出力されるアナログ電圧を８ビットのデジタル信号に変換するＡ／Ｄ変換器、１３はＡ／Ｄ変換器１２からのデジタル信号を任意の倍率に変換する拡大縮小回路、１４は８ビットのデジタル信号を一定のしきい値によって０／１の２値信号に変換する２値化回路、１５は２値化回路１４で２値信号に変換された読取画像データを記憶する画像メモリ、１６は全体の制御を行うＣＰＵ、１７はＣＰＵ１６に接続された操作パネル、１８は２値化回路１４で２値信号に変換された読取画像データまたは画像メモリ１５に記憶された画像データをＣＰＵ１６からの指示により、印字可能なサーマルプリンタである。
【００１３】
図２は、操作パネル１７の構成図であって、１９はスクリーンを逆方向に進めるための逆転フィードキー、２０はスクリーンを正方向に進めるための正転フィードキー、２１はスクリーンに描かれた画像を読み取ってサーマルプリンタ１８に出力するためのコピーキー、２２はコピーキー２１での印字枚数を設定するためのコピー枚数設定キー、２３は現在のコピー枚数を表示するための７セグメントＬＥＤである。
【００１４】
図３は、スクリーン１を読取光学部筐体６に取り付けて上方から見た場合の構成図であって、１はスクリーン、２はスクリーン駆動ローラー、３ａ・３ｂ・３ｃはスクリーン折返ローラー、５ａ・５ｂ・５ｃ・５ｄは４画面の各スクリーン面のホーム位置を決定するスクリーンホーム位置マークでスクリーンを４分割するために均等にスクリーン面に貼り付けられている。６は読取光学部筐体、７はスクリーンホーム位置検出センサである。
【００１５】
以上のように構成された本実施例の４画面電子黒板が行う処理について、以下、詳細に説明する。
【００１６】
１．正転フィード
図４は、操作パネル１７の正転フィードキー２０が押された場合のフローチャートである。操作パネル１７の正転フィードキー２０が押されると、Ｓ１においてフィード面数を１に、Ｓ２においてフィードキー許可回数を１に設定し、Ｓ３においてスクリーン駆動パルスモータ４を時計方向に回転させ、スクリーン駆動ローラー２を介してスクリーン１を左から右（図３矢印Ａ方向）へ移動する。
【００１７】
そのあとＳ４においてスクリーン１のスクリーンホームマーク５ａがスクリーンホーム位置検出センサ７の検出範囲外に移動するまで待った後、Ｓ５においてスクリーンホーム位置検出センサ７がスクリーンホーム位置マーク５ｂを検出し所定のパルス数だけ進めたスクリーンホーム位置となるまで待つ。次にＳ６においてフィード面数を１減じて、Ｓ７においてフィード面数が０かどうかを判断する。Ｓ７でフィード面数が０の場合には、Ｓ８においてスクリーン駆動パルスモータ４を停止させて正転フィードキー動作を終了する。Ｓ７でフィード面数が０以外の場合には、次のスクリーン面までフィードするためにＳ４の処理に戻る。
【００１８】
また、Ｓ４においてスクリーン１がスクリーンホーム外に移動するまでの間には、Ｓ１３において正転フィードキー２０が入力されたかどうかを判断する。正転フィードキー２０が入力されていれば、Ｓ１４においてフィードキー許可回数が０以外かどうかを判断し、フィードキー許可回数が０以外であれば、Ｓ１５においてフィードキー許可回数を１減じて、Ｓ１６においてフィード面数を１増加してＳ４に戻り、再度スクリーン１がスクリーンホーム外に移動したかを確認する。なお、Ｓ１３において正転フィードキー２０が入力されていない場合、Ｓ１４においてフィードキー許可回数が０の場合もＳ４に戻る。
【００１９】
同様にＳ５においてスクリーン１がスクリーンホーム位置に移動するまでの間にも、正転フィードキー２０が入力されたかどうかを判断する。これは、前述のＳ４におけるスクリーン１がスクリーンホーム外に移動するまでの間の処理と全く同じである。
【００２０】
このように、Ｓ４におけるスクリーン１がスクリーンホーム外に移動するまでの間、およびＳ５におけるスクリーン１がスクリーンホーム位置に移動するまでの間に入力された正転フィードキー２０を処理することによって、スクリーン１が途中で停止することなく、直接次次のスクリーン面まで正転フィードすることができるようになり、使い勝手が格段に向上する。
【００２１】
尚、Ｓ２においてフィードキー許可回数を１としているため、フィードキーを複数回入力しても次次スクリーン面までしか直接フィードしないが、これを２とすることで次次次スクリーン面まで直接フィードさせることができるようになる。
【００２２】
２．逆転フィード
操作パネル１７の逆転フィードキー１９が押された場合は、スクリーン駆動パルスモータ４を反時計方向に回転させスクリーン駆動ローラー２を介してスクリーン１を右から左（図３矢印Ｂ方向）へ移動する。また、スクリーン１がスクリーンホーム外に移動するまでの間、およびスクリーン１がスクリーンホーム位置に移動するまでの間に入力された逆転フィードキー１９を処理する。上述の点以外は正転フィードの場合と同じである。
【００２３】
３．１画面コピー
操作パネル１７のコピーキー２１が押されると、ＣＰＵ１６は蛍光灯８を点灯してスクリーン駆動パルスモータ４を時計方向に回転させ、スクリーン駆動ローラー２を介してスクリーン１を左から右へ移動させながら、ＣＣＤ１１で読み取り、０／１の２値デジタル信号に変換して、サーマルプリンタ１８に印字しながら同時に画像メモリ１５に記憶する。
【００２４】
コピー枚数設定キー２２により、２枚以上のコピーが指定された場合には、２枚目以降は画像メモリ１５に格納された画像データをサーマルプリンタ１８へ印字させる。
【００２５】
なお、読み取りの解像度は拡大縮小回路１３およびスクリーン駆動パルスモータ４の回転速度で変更することができる。
【００２６】
４．４画面連続コピー
図５は、操作パネル１７のコピー枚数設定キー２２を複数回押して、７セグメントＬＥＤ２３の表示を図７（ａ）のように設定してコピーキー２１を押された場合の４画面連続コピーのフローチャートである。なお、コピー枚数設定キー２２が押されるごとに７セグメントＬＥＤ２３表示は、図６のように変化させる。ここで、”１”から”９”まではコピー枚数を、図７（ａ）の場合は４画面連続コピーを示すものとする。
【００２７】
７セグメントＬＥＤ２３の表示が図７（ａ）のような場合にコピーキー２１が押されると、Ｓ１７において連続コピー回数を４に設定し、Ｓ１８において蛍光灯を点灯し、Ｓ１９においてスクリーン駆動パルスモータ４を時計方向に回転させ、スクリーン駆動ローラー２を介してスクリーン１を左から右（図３矢印Ａ方向）へ移動させる。その後、Ｓ２０において連続コピー回数に応じて７セグメントＬＥＤ２３を以下のように表示する。これによって、現在コピーを行っている面数を容易に識別することができるようになる。
【００２８】
連続コピー回数＝４の場合の表示：図７（ａ）
連続コピー回数＝３の場合の表示：図７（ｂ）
連続コピー回数＝２の場合の表示：図７（ｃ）
連続コピー回数＝１の場合の表示：図７（ｄ）
Ｓ２１においてスクリーン１が読取開始位置に移動するまで待って、Ｓ２２において連続コピー回数が０以外であれば、Ｓ２４においてスクリーン１が読取終了位置に移動するまで、Ｓ２３においてＣＣＤ１１で読み取り、０／１の２値デジタル信号に変換してサーマルプリンタ１８に印字する。Ｓ２１の読取開始位置までの移動と、Ｓ２４の読取終了位置までの移動は、スクリーン駆動パルスモータ４を駆動するパルス数によって管理される。
【００２９】
即ち、スクリーンホーム位置から読取開始位置までの距離、及び読取開始位置から読取終了位置までの距離は定数であるので、スクリーン１をそれらの距離だけ移動させるのに必要なスクリーン駆動パルスモータ４の回転量（つまり駆動パルス数）を管理することによって、読取開始位置と読取終了位置を検知することができる。
【００３０】
Ｓ２４においてスクリーン１が読取終了位置に移動すると、Ｓ２５において連続コピー回数が０以外かを判断し、０以外であれば、Ｓ２６において連続コピー回数を１減じて、Ｓ２７において連続コピー回数が０かどうかを判断し、０以外であれば、Ｓ２０に戻って次スクリーンのコピーを行う。Ｓ２７で連続コピー回数が０であれば、Ｓ２８において蛍光灯を消灯し、Ｓ２９においてスクリーン１がスクリーンホーム位置に移動するまで待って、Ｓ３０においてスクリーン駆動パルスモータ４を停止し、Ｓ３１において７セグメントＬＥＤ２３の表示を”１”として、４画面連続コピー動作を終了する。
【００３１】
また、Ｓ２１においてスクリーン１が読取開始位置に移動するまでの間には、Ｓ３５においてコピー枚数設定キー２２が入力されたかどうかを判断する。コピー枚数設定キー２２が入力されていれば、Ｓ３６において連続コピー回数を０に設定し、Ｓ３７において７セグメントＬＥＤ２３に”０”を表示して、Ｓ２１に戻る。この場合には、Ｓ２２で連続コピー回数が０であるため、Ｓ２８に分岐し４画面連続コピー動作を終了する。なお、Ｓ３５においてコピー枚数設定キー２２が入力されていない場合にはＳ２１に戻る。同様にＳ２４においてスクリーン１が読取終了位置に移動するまでの間にも、コピー枚数設定キー２２が入力されたかどうかを判断する。これは、前述のＳ２１におけるスクリーン１が読取開始位置に移動するまでの間の処理と全く同じである。
【００３２】
このように、Ｓ２１におけるスクリーン１が読取開始位置に移動するまでの間、およびＳ２５におけるスクリーン１が読取終了位置に移動するまでの間にコピー枚数設定キー２２が入力されると４画面連続コピー動作を中断することができる。
【００３３】
【発明の効果】
以上の説明の通り、本発明に係る電子黒板装置は、表示手段に数字が表示されている場合には、スクリーンの１つの筆記面の情報を読み取って、印刷手段により表示された数字に応じた枚数分の印刷を行うようにスクリーンローラー、読取手段、印刷手段を制御し、表示手段に記号が表示されている場合には、スクリーンの複数の筆記面の情報を順次読み取り、印刷手段により順次印刷を行うようにスクリーンローラー、読取手段、印刷手段を制御することにより、複数の筆記面の連続印刷を行うことができるという効果を奏する。
【図面の簡単な説明】
【図１】本発明の一実施の形態による電子黒板装置のブロック図
【図２】同電子黒板装置の操作パネルの説明図
【図３】同電子黒板装置の構成図
【図４】同電子黒板装置における正転フィードの動作フローチャート
【図５】同電子黒板装置における複数画面連続コピーの動作フローチャート
【図６】同電子黒板装置におけるＬＥＤ表示の説明図
【図７】同電子黒板装置におけるＬＥＤ表示の説明図
【符号の説明】
１  スクリーン
２  スクリーン駆動ローラー
３  スクリーン折り返しローラー
５  スクリーンホーム位置マーク
６  読取光学部筐体
７  スクリーンホーム位置検出センサ
【図１】
0003834896.tif 000002
【図２】
0003834896.tif 000003
【図３】
0003834896.tif 000004
【図４】
0003834896.tif 000005
【図５】
0003834896.tif 000006
【図６】
0003834896.tif 000007
【図７】
0003834896.tif 000008